(57)【要約】【課題】タッチ操作により電極を選択することで所望の刺激パターンでの治療を可能とする端末装置を提供する。【解決手段】タッチパネルを有する端末装置は、ユーザの身体の部位に接触される複数の電極を有する電気治療器と通信可能に構成されている。端末装置は、所定画像をタッチパネルの表示画面に表示する表示制御部と、表示画面に表示された所定画像へのタッチ操作に応じて、複数の電極のうちの２つの電極で構成される１組の電極を選択する選択部と、選択された１組の電極へパルス電圧を印加するように電気治療器に指示する指示部とを備える。【選択図】図１
2020018384.tif 000002
【特許請求の範囲】
【請求項１】
タッチパネルを有する端末装置であって、
前記端末装置は、ユーザの身体の部位に接触される複数の電極を有する電気治療器と通信可能に構成されており、
所定画像を前記タッチパネルの表示画面に表示する表示制御部と、
前記表示画面に表示された前記所定画像へのタッチ操作に応じて、前記複数の電極のうちの２つの電極で構成される１組の電極を選択する選択部と、
前記選択された１組の電極へパルス電圧を印加するように前記電気治療器に指示する指示部とを備える、端末装置。
【請求項２】
前記所定画像は、前記複数の電極にそれぞれ対応する複数の電極画像を含み、
前記選択部は、前記複数の電極画像へのタッチ操作に応じて、前記複数の電極画像のうちの２つの電極画像で構成される１組の電極画像を抽出し、当該１組の電極画像に対応する前記１組の電極を選択する、請求項１に記載の端末装置。
【請求項３】
前記選択部は、前記表示画面に表示された各前記電極画像のうち、前記タッチ操作で指定された１つのタッチ位置に最も近い２つの電極画像を前記１組の電極画像として抽出する、請求項２に記載の端末装置。
【請求項４】
前記選択部は、各前記電極画像のうち、前記タッチ操作で指定された第１のタッチ位置に最も近い第１電極画像と、前記タッチ操作で指定された第２のタッチ位置に最も近い第２電極画像とを前記１組の電極画像として抽出する、請求項２に記載の端末装置。
【請求項５】
前記複数の電極はハニカム形状であり、
各前記電極画像は、前記タッチパネルの表示画面にハニカム状に配置される、請求項２〜４のいずれか１項に記載の端末装置。
【請求項６】
前記所定画像における複数の領域は、前記複数の電極とそれぞれ関連付けられており、
前記選択部は、前記所定画像へのタッチ操作に応じて、前記複数の領域のうちの２つの領域で構成される１組の領域を抽出し、当該１組の領域に対応する前記１組の電極を選択する、請求項１に記載の端末装置。
【請求項７】
前記選択部は、前記複数の領域のうち、前記タッチ操作で指定された１つのタッチ位置に最も近い２つの領域を前記１組の領域として抽出する、請求項６に記載の端末装置。
【請求項８】
前記選択部は、前記複数の領域のうち、前記タッチ操作で指定された第１のタッチ位置に最も近い第１領域と、前記タッチ操作で指定された第２のタッチ位置に最も近い第２領域とを前記１組の領域として抽出する、請求項６に記載の端末装置。
【請求項９】
前記タッチ操作による前記タッチパネルに対する押圧力を検出する押圧検出部と、
前記１組の電極が選択されたときの前記押圧力に基づいて、前記部位に与えられる電気刺激強度を調整する調整部とをさらに備え、
前記指示部は、前記調整された電気刺激強度に対応するパルス電圧を前記１組の電極へ印加するように前記電気治療器に指示する、請求項１〜８のいずれか１項に記載の端末装置。
【請求項１０】
前記調整部は、前記押圧力が大きいほど前記電気刺激強度を大きくする、請求項９に記載の端末装置。
【請求項１１】
一連の前記タッチ操作に応じて、前記選択部により選択された複数の前記１組の電極の各々と、当該１組の電極が選択された順序とを含むパターン情報を格納する情報格納部をさらに備え、
前記指示部は、前記情報格納部に格納されたパターン情報に基づいて、各前記１組の電極へパルス電圧を印加するように前記電気治療器へ指示する、請求項１〜１０のいずれか１項に記載の端末装置。
【請求項１２】
タッチパネルを有する電気治療器であって、
ユーザの身体の部位に接触される複数の電極と、
所定画像を前記タッチパネルの表示画面に表示する表示制御部と、
前記表示画面に表示された前記所定画像へのタッチ操作に応じて、前記複数の電極のうちの２つの電極で構成される１組の電極を選択する選択部と、
前記選択された１組の電極へパルス電圧を印加することにより前記部位の治療を行なう治療実行部とを備える、電気治療器。
【請求項１３】
ユーザの身体の部位に接触される複数の電極を有する電気治療器と、
タッチパネルを有し、前記電気治療器と通信可能に構成された端末装置とを備え、
前記端末装置は、
所定画像を前記タッチパネルの表示画面に表示する表示制御部と、
前記表示画面に表示された前記所定画像へのタッチ操作に応じて、前記複数の電極のうちの２つの電極で構成される１組の電極を選択する選択部と、
前記選択された１組の電極へパルス電圧を印加するように前記電気治療器に指示する指示部とを含む、治療システム。
【発明の詳細な説明】
【技術分野】
【０００１】
本開示は、端末装置、電気治療器、および治療システムに関する。
【背景技術】
【０００２】
従来、腹部や背中などの身体の表面に複数の電極を接触させ、電極を介して身体内部の筋肉に対して電気信号を出力し、電気的に刺激を与えるようにした電気治療器が知られている。
【０００３】
例えば、特開平１０−１１８１９９号公報（特許文献１）は、１以上の刺激パターンをコントローラのプログラムにより順次発生させる低周波治療器を開示している。この低周波治療器は、３個以上の電極を有し、電極がベースシ−ト本体上に左右対称に配置されている。
【先行技術文献】
【特許文献】
【０００４】
【特許文献１】特開平１０−１１８１９９号公報
【発明の概要】
【発明が解決しようとする課題】
【０００５】
特許文献１に係る低周波治療器は、５つの電極のうちの関電極および不関電極を一定期間ごとに変更することで、各種の刺激パターンを提供している。このような複数の電極を有する低周波治療器では、ユーザが複数の電極の中から、直感的な操作により電極を選択することで所望の刺激パターンを発生させたいというニーズが存在する。しかしながら、特許文献１では、ユーザが選択できる刺激パターンは予め記憶された刺激パターンに限定されており、上記ニーズを満たすための技術は何ら開示または示唆されていない。
【０００６】
本開示のある局面における目的は、タッチ操作により電極を選択することで所望の刺激パターンでの治療を可能とする端末装置、電気治療器、および治療システムを提供することである。
【課題を解決するための手段】
【０００７】
本開示の一例では、タッチパネルを有する端末装置は、ユーザの身体の部位に接触される複数の電極を有する電気治療器と通信可能に構成されている。端末装置は、所定画像をタッチパネルの表示画面に表示する表示制御部と、表示画面に表示された所定画像へのタッチ操作に応じて、複数の電極のうちの２つの電極で構成される１組の電極を選択する選択部と、選択された１組の電極へパルス電圧を印加するように電気治療器に指示する指示部とを備える。
【０００８】
上記構成によれば、タッチ操作により電極を選択することで所望の刺激パターンでの治療が可能となる。
【０００９】
本開示の他の例では、所定画像は、複数の電極にそれぞれ対応する複数の電極画像を含む。選択部は、複数の電極画像へのタッチ操作に応じて、複数の電極画像のうちの２つの電極画像で構成される１組の電極画像を抽出し、当該１組の電極画像に対応する１組の電極を選択する。
【００１０】
上記構成によれば、複数の電極にそれぞれ対応する複数の電極画像が表示されるため、所望の電極を容易に選択することができる。
【００１１】
本開示の他の例では、選択部は、表示画面に表示された各電極画像のうち、タッチ操作で指定された１つのタッチ位置に最も近い２つの電極画像を１組の電極画像として抽出する。
【００１２】
上記構成によれば、ユーザは、２つの電極画像を個々にタッチする必要なく、１組の電極画像に対応する電極間での電気刺激を受けることができる。
【００１３】
本開示の他の例では、選択部は、各電極画像のうち、タッチ操作で指定された第１のタッチ位置に最も近い第１電極画像と、タッチ操作で指定された第２のタッチ位置に最も近い第２電極画像とを１組の電極画像として抽出する。
【００１４】
上記構成によれば、ユーザは、各電極画像のうちの任意の２つの電極画像を自由に選択できる。そのため、例えば、互いに隣接していない２つの電極画像をタッチすることで、当該２つの電極画像に対応する電極間での電気刺激を受けることができる。
【００１５】
本開示の他の例では、複数の電極はハニカム形状である。各電極画像は、タッチパネルの表示画面にハニカム状に配置される。
【００１６】
上記構成によれば、電気治療器が有する複数の電極を効率的に配置することができる。また、各電極画像がハニカム状に配置されることにより、各電極画像は互いに接している電極画像が多いため（最大で６つ）、タッチ操作で連続的に電極画像をタッチする際の操作性も向上する。
【００１７】
本開示の他の例では、所定画像における複数の領域は、複数の電極とそれぞれ関連付けられている。選択部は、所定画像へのタッチ操作に応じて、複数の領域のうちの２つの領域で構成される１組の領域を抽出し、当該１組の領域に対応する１組の電極を選択する。
【００１８】
上記構成によれば、タッチパネルの表示画面に表示された所定画像の領域をタッチすることで、当該領域に対応する電極を容易に選択することができる。
【００１９】
本開示の他の例では、選択部は、複数の領域のうち、タッチ操作で指定された１つのタッチ位置に最も近い２つの領域を１組の領域として抽出する。
【００２０】
上記構成によれば、ユーザは、２つの領域を個々にタッチする必要なく、１組の領域に対応する電極間での電気刺激を受けることができる。
【００２１】
本開示の他の例では、選択部は、複数の領域のうち、タッチ操作で指定された第１のタッチ位置に最も近い第１領域と、タッチ操作で指定された第２のタッチ位置に最も近い第２領域とを１組の領域として抽出する。
【００２２】
上記構成によれば、ユーザは、互いに離れている２つの領域をタッチすることで、当該２つの領域に対応する電極間での電気刺激を受けることができる。
【００２３】
本開示の他の例では、端末装置は、タッチ操作によるタッチパネルに対する押圧力を検出する押圧検出部と、１組の電極が選択されたときの押圧力に基づいて、部位に与えられる電気刺激強度を調整する調整部とをさらに備える。指示部は、調整された電気刺激強度に対応するパルス電圧を１組の電極へ印加するように電気治療器に指示する。
【００２４】
上記構成によれば、タッチ操作する際の押圧力を調整することにより、ユーザの治療部位に与えられる電気刺激強度を容易に変更できる。
【００２５】
本開示の他の例では、調整部は、押圧力が大きいほど電気刺激強度を大きくする。
上記構成によれば、ユーザは、タッチパネルを強く押すほど電気刺激強度を大きくすることができるため、直感的で分かり易い操作方式を提供することができる。
【００２６】
本開示の他の例では、端末装置は、一連のタッチ操作に応じて、選択部により選択された複数の１組の電極の各々と、当該１組の電極が選択された順序とを含むパターン情報を格納する情報格納部をさらに備える。指示部は、情報格納部に格納されたパターン情報に基づいて、各１組の電極へパルス電圧を印加するように電気治療器へ指示する。
【００２７】
上記構成によれば、一連のタッチ操作に応じた所望の刺激パターンが情報格納部に格納されている。そのため、ユーザは、再度、同じ一連のタッチ操作を行なうことなく、当該刺激パターンに基づく治療を受けることができる。
【００２８】
本開示の他の例では、タッチパネルを有する電気治療器は、ユーザの身体の部位に接触される複数の電極と、所定画像をタッチパネルの表示画面に表示する表示制御部と、表示画面に表示された所定画像へのタッチ操作に応じて、複数の電極のうちの２つの電極で構成される１組の電極を選択する選択部と、選択された１組の電極へパルス電圧を印加することにより部位の治療を行なう治療実行部とを備える。
【００２９】
上記構成によれば、タッチ操作により電極を選択することで所望の刺激パターンでの治療が可能となる。
【００３０】
本開示の他の例では、治療システムは、ユーザの身体の部位に接触される複数の電極を有する電気治療器と、タッチパネルを有し、電気治療器と通信可能に構成された端末装置とを備える。端末装置は、所定画像をタッチパネルの表示画面に表示する表示制御部と、表示画面に表示された所定画像へのタッチ操作に応じて、複数の電極のうちの２つの電極で構成される１組の電極を選択する選択部と、選択された１組の電極へパルス電圧を印加するように電気治療器に指示する指示部とを含む。
【００３１】
上記構成によれば、タッチ操作により電極を選択することで所望の刺激パターンでの治療が可能となる。
【発明の効果】
【００３２】
本開示によると、タッチ操作により電極を選択することで所望の刺激パターンでの治療が可能となる。
【図面の簡単な説明】
【００３３】
【図１】本実施の形態に従う治療システムを示す図である。
【図２】実施の形態１に従う端末装置のハードウェア構成の一例を示すブロック図である。
【図３】実施の形態１に従う電気治療器の構成の一例を示す斜視図である。
【図４】実施の形態１に従う電気治療器に備えられる本体部をホルダおよびパッド２から分離した状態を示す斜視図である。
【図５】実施の形態１に従うパッドに形成される電極構造の一例を示す図である。
【図６】パルス電圧波形のパラメータを説明するための図である。
【図７】パルス電圧を印加する電極を選択する際の操作画面の一例を示す図である。
【図８】パルス電圧を印加する電極を選択する際の操作画面の他の例を示す図である。
【図９】一連のタッチ操作が行なわれた場合における操作画面の一例を示す図である。
【図１０】実施の形態１に従う端末装置の機能構成の一例を示すブロック図である。
【図１１】実施の形態１に従う端末装置の処理手順の一例を示すフローチャートである。
【図１２】実施の形態２に従う電気治療器の外観の一例を示す図である。
【図１３】実施の形態２に従う電気治療器のハードウェア構成の一例を表わすブロック図である。
【図１４】その他の実施の形態において、パルス電圧を印加する電極を選択する際の操作画面の一例を示す図である。
【発明を実施するための形態】
【００３４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３５】
［適用例］
図１を参照して、本発明の適用例について説明する。図１は、本実施の形態に従う治療システム１０００を示す図である。図１を参照して、治療システム１０００は、ユーザ端末である端末装置１０と、電気治療器２０と、ネットワーク３０とを含む。
【００３６】
電気治療器２０は、ユーザの身体の部位に接触される複数の電極を有し、各電極に低周波パルス電流を供給することで、ユーザの肩凝りをほぐす等の治療を行う低周波治療器である。低周波パルス電流の周波数は、例えば、１Ｈｚ〜１２００Ｈｚである。ただし、電気治療器２０は、これ以外の周波数帯のパルス電流を用いる構成であってもよい。
【００３７】
電気治療器２０は、コードレスタイプであり、使用時に一体とされるパッド２、本体部４およびホルダを有し、これら各部を組み合わせて治療を行なう。本体部は、電気治療器２０を制御するための制御部として機能する。パッド２は、シート状の形状を有し、ユーザの治療部位（例えば、膝部）に貼り付けられる。
【００３８】
端末装置１０は、例えば、タッチセンサとディスプレイとが一体化されたタッチパネル１５５を備えるスマートフォンである。以下では、スマートフォンを「端末装置」の代表例として説明を行なう。ただし、端末装置１０は、タッチパネルを搭載したタブレット端末装置等のような他の端末装置であってもよい。
【００３９】
端末装置１０と電気治療器２０とを接続するためのネットワーク３０は、近距離無線通信方式を採用しており、典型的には、ＢＬＥ（Bluetooth（登録商標）  low  energy）が採用される。そのため、端末装置１０および電気治療器２０は、ＢＬＥを用いて無線通信を行なう機能を有するＢＬＥデバイスである。ただし、ネットワーク３０は、これに限られず、Ｂｌｕｅｔｏｏｔｈ、無線ＬＡＮ（local  area  network）等のその他の無線通信方式を採用してもよい。
【００４０】
端末装置１０のタッチパネル１５５の表示画面には所定画像が表示される。所定画像は、複数の電極画像を含む。この複数の電極画像は、電気治療器２０のパッド２に形成された複数の電極にそれぞれ対応している。本実施の形態では、パッド２にはハニカム形状の複数の電極が形成されているため、タッチパネル１５５に表示される各電極画像はハニカム状に配置されている。
【００４１】
端末装置１０は、タッチパネル１５５に表示された電極画像への操作（タッチ操作）を受け付けると、当該タッチ操作に応じて抽出された電極画像に対応する電極にパルス電圧を印加するように電気治療器２０へ指示する。具体的には、端末装置１０は、主な機能構成として、選択部４０３と、指示部４０５と、表示制御部４０７とを含む。
【００４２】
表示制御部４０７は、タッチ操作に応じて、電気治療器２０に対する各種の操作画面をタッチパネル１５５の表示画面に表示する。表示制御部４０７は、例えば、パッド２に形成された複数の電極の各々に対応する電極画像をタッチパネル１５５に配置する。
【００４３】
選択部４０３は、タッチパネル１５５に表示された複数の電極画像へのタッチ操作に応じて、複数の電極画像のうちの２つの電極画像で構成される１組の電極画像を抽出し、当該１組の電極画像に対応する１組の電極を選択する。
【００４４】
指示部４０５は、パッド２に形成された複数の電極のうち、選択された１組の電極へパルス電圧を印加するように電気治療器２０（例えば、本体部４）に指示する。具体的には、指示部４０５は、ネットワーク３０を介して、当該指示を示す指示情報を電気治療器２０へ送信する。なお、１組の電極のうちの一方の電極の極性がプラスの場合、他方の電極の極性はマイナスとなる。電気治療器２０は、当該指示情報に従って、１組の電極へパルス電圧を印加することにより治療部位の治療を行なう。
【００４５】
ユーザは、端末装置１０のタッチパネル１５５に表示された電極画像をタッチすることにより、当該電極画像に対応する電極を介して治療を受けることができる。また、ユーザは、タッチパネル１５５上で連続的にタッチ操作を行なって電極画像を順次選択することによって、所望の電気刺激パターンで治療を受けることができる。さらに、タッチパネル１５５には、パッド２に形成された電極に対応する電極画像が表示されているため、ユーザは直感的かつ容易に、パルス電圧を印加したい電極を選択することができる。
【００４６】
［構成例］
＜実施の形態１＞
（端末装置１０のハードウェア構成）
図２は、実施の形態１に従う端末装置１０のハードウェア構成の一例を示すブロック図である。端末装置１０は、主たる構成要素として、プロセッサ１５２と、メモリ１５４と、タッチパネル１５５と、無線通信部１６０と、メモリインターフェイス（Ｉ／Ｆ）１６４と、通信インターフェイス（Ｉ／Ｆ）１６６と、スピーカ１６８と、マイク１７０とを含む。
【００４７】
プロセッサ１５２は、典型的には、ＣＰＵ（Central  Processing  Unit）やＭＰＵ（Multi  Processing  Unit）といった演算処理部である。プロセッサ１５２は、メモリ１５４に記憶されたプログラムを読み出して実行することで、端末装置１０の各部の動作を制御する制御部として機能する。プロセッサ１５２は、当該プログラムを実行することによって、後述する端末装置１０の処理（ステップ）の各々を実現する。
【００４８】
メモリ１５４は、ＲＡＭ（Random  Access  Memory）、ＲＯＭ（Read-Only  Memory）、フラッシュメモリなどによって実現される。メモリ１５４は、プロセッサ１５２によって実行されるプログラム、またはプロセッサ１５２によって用いられるデータなどを記憶する。
【００４９】
タッチパネル１５５は、タッチ操作時のタッチ位置および押圧力を検出可能に構成されている。タッチパネル１５５は、ディスプレイ１５６と、ディスプレイ１５６上に重畳されるタッチセンサ１５７および圧力センサ１５８とから構成される。
【００５０】
ディスプレイ１５６は、液晶ディスプレイ等で構成され、プロセッサ１５２からの制御に従って各種の情報を表示する。タッチセンサ１５７は、指、タブレット用ペン等を用いてタッチパネル１５５に対して行なわれるタッチ操作を、当該タッチ操作が行われた場所のタッチパネル１５５上での位置（タッチ座標）とともに検出し、その検出信号をプロセッサ１５２に供給する。
【００５１】
圧力センサ１５８は、例えば、歪みゲージ方式の圧力センサであり、ディスプレイ１５６の表示画面に対する押圧力によって歪む部分に設けられる。プロセッサ１５２は、圧力センサ１５８からの出力値によってディスプレイ１５６の表示画面に対する押圧力を検出する。なお、押圧力を検出する方式は、圧力センサを用いた方式に限られず、ディスプレイ１５６の操作面に対する押圧力を検出可能な方式であれば、他の方式であってもよい。
【００５２】
無線通信部１６０は、通信アンテナ１６２を介して移動体通信網に接続し無線通信のための信号を送受信する。これにより、端末装置１０は、たとえば、ＬＴＥ（Long  Term  Evolution）などの移動体通信網を介して他の通信装置との通信が可能となる。
【００５３】
メモリインターフェイス１６４は、外部の記憶媒体１６５からデータを読み出す。プロセッサ１５２は、メモリインターフェイス１６４を介して記憶媒体１６５に格納されているデータを読み出して、当該データをメモリ１５４に格納する。プロセッサ１５２は、メモリ１５４からデータを読み出して、メモリインターフェイス１６４を介して当該データを外部の記憶媒体１６５に格納する。
【００５４】
記憶媒体１６５は、ＣＤ（Compact  Disc）、ＤＶＤ（Digital  Versatile  Disk）、ＢＤ（Blu-ray（登録商標）  Disc）、ＵＳＢ（Universal  Serial  Bus）メモリ、ＳＤ（Secure  Digital）メモリカードなどの不揮発的にプログラムを格納する媒体を含む。
【００５５】
通信インターフェイス（Ｉ／Ｆ）１６６は、端末装置１０と電気治療器２０との間で各種データをやり取りするための通信インターフェイスであり、アダプタやコネクタなどによって実現される。通信方式としては、例えば、ＢＬＥ（Bluetooth  low  energy）、無線ＬＡＮなどによる無線通信方式が採用される。
【００５６】
スピーカ１６８は、プロセッサ１５２から与えられる音声信号を音声に変換して端末装置１０の外部へ出力する。マイク１７０は、端末装置１０に対する音声入力を受け付けて、当該音声入力に対応する音声信号をプロセッサ１５２に与える。
【００５７】
（電気治療器２０の構成）
図３は、実施の形態１に従う電気治療器２０の構成の一例を示す斜視図である。図４は、実施の形態１に従う電気治療器２０に備えられる本体部４をホルダ３およびパッド２から分離した状態を示す斜視図である。図５は、実施の形態１に従うパッド２に形成される電極構造の一例を示す図である。
【００５８】
図３および図４を参照して、電気治療器２０は、いわゆるコードレスタイプの低周波治療器であり、パッド２、ホルダ３および本体部４を含む。
【００５９】
パッド２は、シート状の形状を有し、ユーザの身体に取り付けられる。パッド２の外表面のうち、身体に対向する身体側部２１の表面（下面）には、導電層２ａが設けられる。パッド２は、導電性のゲル等を使用してユーザの皮膚上に貼り付けられ、導電層２ａを通してユーザに低周波パルス電流が供給される。
【００６０】
図４を参照して、パッド２は、取付部２Ｘおよび治療部２Ｙを有する。取付部２Ｘは、ホルダ３によって保持される。取付部２Ｘには、窓部２３および貫通孔２Ｈが設けられている。窓部２３の内側には、ホルダ３の位置決め突起３１２が配置される。貫通孔２Ｈには、ホルダ３のインターロックピン３３が挿通される。治療部２Ｙは、取付部２Ｘの左右両外側に設けられ、治療部２Ｙの身体側部２１には導電層２ａが露出している。
【００６１】
導電層２ａは、取付部２Ｘにおける本体部４に対向する表面にも露出しており、この露出部分がパッド側電極部２２を構成する。パッド側電極部２２は、本体部側電極部４３との電気的接続のために形成されている。
【００６２】
図５を参照して、パッド側電極部２２は、複数の電極部がハニカム状に形成された電極群６１，６５を有する。電極群６１は一方の治療部２Ｙに形成されており、電極群６５は他方の治療部２Ｙに形成されている。電極群６１，６５の各々は、例えば、９つの電極を有する。電極群６１（または、電極群６５）のうちの２つの電極間でパルス電圧が印加される。そのため、一方の電極がプラス極性となり、他方の電極がマイナス極性となる。電極群６１，６５はハニカム状に形成されているため、治療部２Ｙの面積を効率的に活用することができる。ただし、電極群６１，６５は、ハニカム形状に限られず、例えば、マトリクス状に形成されていてもよい。
【００６３】
図４を参照して、ホルダ３は、板状の形状を有するパッド保持部３１と、パッド保持部３１の両端から起立する一対の壁部３２とを備える。パッド保持部３１の上面３１１に、パッド２の取付部２Ｘが配置される。上面３１１と取付部２Ｘとの間には、必要に応じて、両面粘着テープ、のり、接着剤などが配置される。
【００６４】
パッド保持部３１には、位置決め突起３１２が設けられている。パッド２に設けられた窓部２３の内周縁を位置決め突起３１２に合わせることで、ホルダ３に対してパッド２が位置決めされる。パッド保持部３１の中央には、インターロックピン３３も設けられる。パッド２をホルダ３に取り付ける際、インターロックピン３３は貫通孔２Ｈの中に挿通される。
【００６５】
パッド２は消耗品であるので、交換の際には、パッド２は本体部４に対して着脱可能とされている。本実施の形態では、ホルダ３がパッド２を保持することで両者が一体となっており、パッド２およびホルダ３に対して本体部４を着脱するよう構成されている。パッド２はホルダ３ごと交換されるが、必要に応じてホルダ３を再利用することも不可能ではない。
【００６６】
図３および図４を参照して、本体部４は、略直方体の形状を有するケース４ａを外装体として含んでいる。ケース４ａとホルダ３との間には、誘導係合部５（図３）が形成されており、本体部４（ケース４ａ）は、ホルダ３に着脱可能に取り付けられる。誘導係合部５は、ケース４ａの側面４１に形成された突起５１（図４）と、ホルダ３の壁部３２に形成された溝部５２（図４）とから構成される。
【００６７】
図４を参照して、溝部５２は、縦溝部５２１と横溝部５２２とを含む。縦溝部５２１は、縦方向に形成され、上方が開口している。横溝部５２２は、横方向に形成され、両端が開口している。突起５１および溝部５２は、本体部４をホルダ３に取り付ける際には、両者が正対する方向に両者が接近移動して係合に至る。ホルダ３に対して本体部４を回転移動させることで両者の係合が解除され、本体部４をホルダ３から取り外すことができる。
【００６８】
本体部４は、本体部側電極部４３、基板（図示しない）、電気回路（図示しない）、および、インターロック機構（図示しない）を備える。電気回路は、各種の制御機器を含み、基板の表面上に実装されている。本体部４がホルダ３に取り付けられた状態では、本体部側電極部４３の先端部がパッド側電極部２２に当接する。これにより、本体部側電極部４３とパッド側電極部２２とが導通し、電気回路はパッド側電極部２２に低周波パルス電流を供給可能となる。
【００６９】
本体部４（ケース４ａ）内部には、電池等の電源（図示しない）も設けられる。ケース４ａの外部には、スイッチ４８Ｓ、ＬＥＤ（light  emitting  diode）等の表示部（図示しない）、およびボタン（図示しない）等が設けられる。
【００７０】
本体部４に含まれる制御機器は、各種処理を実行するためのプロセッサ、プログラムやデータなどを格納するためのメモリ、端末装置１０と各種データを無線通信するための通信インターフェイス、電源電圧の昇圧、低周波パルス電流（治療電流）の生成および出力等を行なうための波形生成出力装置等を含む。
【００７１】
波形生成出力装置は、パッド２を介してユーザの身体の治療部位に流れる電流を出力する。具体的には、端末装置１０は、タッチパネル１５５を介して、電気治療器２０に対する各種操作を受け付けると、その操作内容に応じた制御信号を電気治療器２０へ送信する。電気治療器２０の制御機器のプロセッサは、通信インターフェイスを介して端末装置１０からの制御信号を受信し、当該制御信号に従ってパルス電圧を出力するように波形生成出力装置へ指示する。波形生成出力装置は、当該指示に従って、パルス電圧波形をパッド２に出力する。
【００７２】
図６は、パルス電圧波形のパラメータを説明するための図である。図６を参照して、パルス電圧波形のパラメータは、振幅（電圧）Ｖと、パルス幅Ｗと、パルス周期Ｔ（すなわち、パルス周波数Ｆ＝１／Ｔ）とを含む。波形生成出力装置は、これら３つのパラメータのうち少なくとも１つのパラメータを変更することにより、ユーザに対する治療内容を変更できる。
【００７３】
典型的には、波形生成出力装置は、電源電圧を所定の電圧に昇圧する。波形生成出力装置は、昇圧された電圧を、設定された振幅に対応する電圧に調整する。具体的には、波形生成出力装置は、端末装置１０の指示に従って所定数のレベル（例えば、１０レベル）で、パルス電圧の振幅を調整できる。例えば、端末装置１０は、タッチパネル１５５を介して、所定レベル（例えば、レベル６）の設定入力を受け付けると、当該所定レベルに対応する振幅に調整するように波形生成出力装置に指示する。波形生成出力装置は、調整した振幅に基づいて、治療モードに応じた治療波形（パルス波形）を生成し、当該治療波形をパッド２（の電極）に出力する。
【００７４】
電気治療器２０には、複数の治療モードが予め用意されている。例えば、治療モードとしては、「もみ」、「たたき」、「押し」、「スイープ」モード等が挙げられる。波形生成出力装置は、パルスの波形（パルス幅、パルス間隔、周波数、出力極性を含む）等を変化させることにより、「もみ」、「たたき」、「押し」、「スイープ」といった様々なモードに対応する電気刺激を生成できる。なお、波形生成出力装置は、パルス電圧の振幅を変化させることにより、電気刺激強度を調整する。なお、波形生成出力装置は、パルス幅を変化させることにより電気刺激強度を調整してもよい。
【００７５】
（操作方式）
実施の形態１に従う端末装置１０を用いた電気治療器２０の操作方式について説明する。図７は、パルス電圧を印加する電極を選択する際の操作画面の一例を示す図である。図７を参照して、端末装置１０のタッチパネル１５５に表示される操作画面５５０は、９つの電極画像で構成される電極群画像５１２と、９つの電極群画像で構成される電極群画像５１４とを含む。
【００７６】
以下の説明では、図７中の１〜１８の番号が付与された正六角形の電極画像を、電極画像「番号」で表現する。例えば、図７中で番号「１」が付与された電極画像は電極画像「１」と表現され、番号「５」が付与された電極画像は電極画像「５」と表現される。そのため、電極群画像５１２は電極画像「１」〜「９」で構成され、電極群画像５１４は電極画像「１０」〜「１８」で構成される。
【００７７】
電極群画像５１２は、電気治療器２０のパッド２の一方の治療部２Ｙに形成された電極群６１（図５参照）に対応する画像であり、電極群画像５１４は他方の治療部２Ｙに形成された電極群６５に対応する画像である。電極群画像５１２，５１４は、それぞれ実際の電極群６１，６５の電極形状（すなわち、ハニカム形状）に合わせて、操作画面５５０にハニカム状に配置される。具体的には、電極群６１の各電極の配置方式に合わせて、電極群画像５１２における各電極画像が配置され、電極群６５の各電極の配置方式に合わせて電極群５１４における各電極画像が配置される。
【００７８】
操作画面５５０は、ハニカムボタン５２４と、矩形ボタン５２６とを含む。本実施の形態では、図５に示すように電極群６１，６５はハニカム形状である。そのため、操作画面５５０には、ハニカムボタン５２４が選択された結果、各電極がハニカム状に配置された電極群画像５１２，５１４が表示されている。電極群６１，６５が、矩形状（例えば、マトリクス状）に形成されている場合には、ユーザは、矩形ボタン５２６を選択することにより、各電極が矩形状に配置された電極群画像５１２，５１４を操作画面５５０に表示することができる。
【００７９】
操作画面５５０は、再生ボタン５１６と、停止ボタン５１８と、記録ボタン５２０とを含む。本実施の形態では、端末装置１０は、記録モードにおいて、ユーザから受け付けた一連のタッチ操作に応じた刺激パターン（例えば、タッチした電極画像、電極画像のタッチ順序、タッチ時の押圧力）を記録しておき、当該記録された刺激パターンに対応する治療を再生（実行）することができる。押圧表示欄５２８は、電極画像をタッチしたときの押圧力（例えば、押圧レベル「３８」）を示している。
【００８０】
再生ボタン５１６は記録した治療内容を再生するためのボタンであり、停止ボタン５１８は再生または記録を停止するためのボタンであり、記録ボタン５２０は端末装置１０を記録モードへ移行させるためのボタンである。再生方式、停止方式および記録方式についての詳細は後述する。
【００８１】
次に、図７を参照して、パッド２に形成された各電極群６１，６５の中からパルス電圧が印加される２つの電極（すなわち、１組の電極）の選択方式について説明する。なお、電気治療器２０では、電極群のうち選択された２つの電極（すなわち、プラス極性の電極とマイナス極性の電極）間でパルス電圧が印加される。ここでは、説明の容易化のため、電極群６１のうちの２つの電極を選択する方式について説明するが、電極群６５についても同様である。
【００８２】
図７を参照して、ユーザが、電極群６１に対応する電極群画像５１２のうちの電極画像「８」の内部領域の位置Ｑをタッチした場合、電極画像「８」および電極画像「９」の各々に対応する電極が自動的に選択される。具体的には、端末装置１０は、位置Ｑのタッチ座標に最も近い２つの電極画像の各々に対応する電極を選択する。
【００８３】
詳細には、端末装置１０は、位置Ｑのタッチ座標と、各電極画像の中心座標（例えば、電極画像を構成する正六角形の中心点の座標）との距離を算出する。端末装置１０は、算出した距離が近いものから順に２つの電極画像を抽出する。図７の例では、位置Ｑから最も距離が近い中心座標を有する電極画像「８」と、位置Ｑから次に距離が近い中心座標を有する電極画像「９」とが抽出される。端末装置１０は、抽出した電極画像「８」に対応する電極と、抽出した電極画像「９」に対応する電極との間にパルス電圧を印加するように電気治療器２０へ指示する。
【００８４】
これにより、ユーザは、２つの電極画像を個々にタッチすることなく、電極群画像５１２の中から所望の位置に存在する電極画像をタッチするだけで、当該電極画像に対応する電極間での電気刺激を受けることができる。
【００８５】
また、端末装置１０は、タッチパネル１５５（ディスプレイ１５６）の表示画面に対する押圧力（タッチ強度）を検出する。端末装置１０は、ディスプレイ１５６に対するタッチ操作によって押圧された場合の押圧力の強度を連続的に検出できる。端末装置１０は、この検出した押圧力に対応するパルス幅で、パルス電圧を印加するように電気治療器２０へ指示する。押圧表示欄５２８は、押圧レベル「３８」に対応する押圧力で位置Ｑが押下されたことを示している。典型的には、押圧力が大きいほどパルス電圧のパルス幅は大きく設定される。
【００８６】
このことから、ユーザは、自身の指等で電極画像をタッチする際に、当該電極画像を強く（あるいは、弱く）押下することにより、当該電極画像に対応する電極へ印加されるパルス電圧のパルス幅を大きく（あるいは、小さく）することができる。このように、ユーザは、タッチ操作する際の押圧力を調整することにより、パルス電圧のパルス幅を容易に変更することができる。
【００８７】
図８は、パルス電圧を印加する電極を選択する際の操作画面の他の例を示す図である。図７では、タッチ位置のタッチ座標に最も近い２つの電極画像の各々に対応する電極が選択される構成について説明した。図８では、２つのタッチ位置の各々に最も近い電極画像に対応する電極が選択される構成について説明する。
【００８８】
図８を参照して、操作画面５６０において、指６１０によるタッチ操作で指定されたタッチ位置Ｑ１に最も近い電極画像「８」と、指６２０によるタッチ操作で指定されたタッチ位置Ｑ２に最も近い電極画像「４」とが１組の電極画像として抽出されている。なお、１組の電極画像は、２つの指で同時にタッチすることで抽出されてもよいし、１つの指で順にタッチすることで抽出されてもよい。端末装置１０は、抽出した電極画像「４」に対応する電極と、抽出した電極画像「８」に対応する電極との間にパルス電圧を印加するように電気治療器２０へ指示する。
【００８９】
図８の例の場合、ユーザは、電極群画像５１２の中から、任意の２つの電極画像をタッチすることで、パルス電圧を印加する２つの電極を自由に選択することができる。そのため、例えば、ユーザは、互いに隣接していない２つの電極画像（例えば、電極画像「４」と電極画像「８」）に対応する２つの電極を選択できる。互いに隣接していない２つの電極を選択した場合、隣接した２つの電極を選択した場合よりも、より広い範囲で電気刺激を受けることができる。
【００９０】
次に、一連のタッチ操作により電極が連続的に選択される例について説明する。図９は、一連のタッチ操作が行なわれた場合における操作画面の一例を示す図である。具体的には、図９（ａ）は、操作画面５７０の第１の局面を示す図である。図９（ｂ）は、図９（ａ）に示した第１の局面の後の第２の局面を示す図である。図９（ｃ）は、図９（ｂ）に示した第２の局面の後の第３の局面を示す図である。ここでは、図７で説明した選択方式で１組の電極が選択されるものとする。
【００９１】
図９（ａ）を参照して、操作画面５７０において、ユーザは、電極画像「７」の内部領域を指６３０で押下（タッチ）する。端末装置１０は、電極画像「７」および電極画像「８」の各々に対応する電極を選択するとともに、指６３０で押下された押圧力に応じた押圧レベル「１４」を押圧表示欄５２８に表示する。端末装置１０は、押圧レベル「１４」に対応するパルス幅を有するパルス電圧を、電極画像「７」に対応する電極と、電極画像「８」に対応する電極との間に印加するように電気治療器２０へ指示する。
【００９２】
続いて、図９（ｂ）を参照して、ユーザは電極画像「７」の内部領域を指６３０で押下した後、電極画像「９」付近までスライド操作を行なう。この場合、端末装置１０は、電極画像「８」および電極画像「９」の各々に対応する電極を選択するとともに、押圧力に応じた押圧レベル「２０」を押圧表示欄５２８に表示する。
【００９３】
端末装置１０は、押圧レベル「２０」に対応するパルス幅を有するパルス電圧を、電極画像「８」に対応する電極と、電極画像「９」に対応する電極との間に印加するように電気治療器２０へ指示する。また、図９（ｂ）には、図９（ａ）に示す第１の局面から図９（ｂ）に示す第２の局面までのユーザのスライド操作を示す軌跡７１０が表示される。
【００９４】
続いて、図９（ｃ）を参照して、ユーザは電極画像「９」付近までスライド操作を行なった後、さらに電極画像「６」付近までスライド操作を行なう。この場合、端末装置１０は、電極画像「６」および電極画像「９」の各々に対応する電極を選択するとともに、押圧力に応じた押圧レベル「３２」を押圧表示欄５２８に表示する。
【００９５】
端末装置１０は、押圧レベル「３２」に対応するパルス幅を有するパルス電圧を、電極画像「６」に対応する電極と、電極画像「９」に対応する電極との間に印加するように電気治療器２０へ指示する。また、図９（ｃ）には、図９（ａ）に示す第１の局面から図９（ｃ）に示す第３の局面までのユーザのスライド操作を示す軌跡７２０が表示される。
【００９６】
上記より、ユーザは、電極画像「７」および「８」から成る１組の電極画像、電極画像「８」および「９」から成る１組の電極画像、電極画像「９」および「６」から成る１組の電極画像の順に、１組の電極画像を選択する一連のタッチ操作（例えば、スライド操作）を行なっている。また、一連のタッチ操作において徐々にタッチ時の押圧力を増大させている。
【００９７】
端末装置１０は、一連のタッチ操作に応じて、電極画像に対応する電極の選択処理および押圧力の検出処理を順次実行し、当該選択処理および検出処理に基づく指示情報を電気治療器２０へ順次送信する。電気治療器２０は、端末装置１０からの指示情報に従って、パルス電圧を印加する。これにより、端末装置１０を用いたタッチ操作により、連続的に電気治療器２０への指示を与えることができ、その結果、連続的な電気刺激を受けることができる。
【００９８】
また、ユーザは、タッチ操作の軌跡７１０，７２０を確認することで選択された電極を時系列で把握でき、押圧表示欄５２８に表示される押圧レベルを確認することで電気刺激強度（パルス幅）の変化を時系列で把握することができる。
【００９９】
次に、刺激パターンの記録機能について説明する。具体的には、端末装置１０は、タッチ操作に応じて選択された１組の電極（以下、「選択電極」とも称する。）と、選択電極の順序と、タッチ操作時の押圧力とを順次記録していく機能を有する。
【０１００】
ここで、端末装置１０は、タッチパネル１５５を介して、ユーザから記録ボタン５２０の選択を受け付けたとする。この場合、端末装置１０は、通常モードから記録モードへ移行し、タッチ操作に応じた刺激パターンを記録する。例えば、図９の例のように、ユーザが一連のタッチ操作を行なった場合を想定する。
【０１０１】
端末装置１０は、図９（ａ）に示すタッチ操作に応じて、電極画像「７」，「８」に対応する選択電極と、当該選択電極の選択順序“１”と、選択時の押圧力を示す押圧レベル「１４」とを記録する。続いて、端末装置１０は、図９（ｂ）に示すタッチ操作に応じて、電極画像「８」，「９」に対応する選択電極と、選択順序“２”と、押圧力を示す押圧レベル「２０」とを記録する。そして、端末装置１０は、図９（ｃ）に示すタッチ操作に応じて、電極画像「９」，「６」に対応する選択電極と、選択順序“３”と、押圧力を示す押圧レベル「３２」とを記録する。
【０１０２】
このように、端末装置１０は、図９（ａ）〜（ｃ）に示す一連のタッチ操作に対応する刺激パターン情報をメモリ１５４に記憶する。典型的には、刺激パターン情報は、各選択電極を示す情報と、各選択電極の順序と、各選択電極の選択時の押圧力を示す押圧力情報とを含む。
【０１０３】
ユーザは、一連のタッチ操作の記録が終了した後、停止ボタン５１８を選択する。端末装置１０は、停止ボタン５１８の入力を受け付けると、記録モードを終了して通常モードへと移行する。続いて、端末装置１０は、再生ボタン５１６の選択入力を受け付けると、記録した刺激パターン情報に基づく治療の実行を電気治療器２０に指示する。
【０１０４】
具体的には、端末装置１０は、押圧レベル「１４」に対応するパルス幅を有するパルス電圧を、電極画像「７」，「８」にそれぞれ対応する２つの電極間に印加するように電気治療器２０へ指示する。続いて、端末装置１０は、押圧レベル「２０」に対応するパルス幅を有するパルス電圧を、電極画像「８」，「９」にそれぞれ対応する２つの電極間に印加するように電気治療器２０へ指示する。さらに、端末装置１０は、押圧レベル「３２」に対応するパルス幅を有するパルス電圧を、電極画像「９」，「６」にそれぞれ対応する２つの電極間に印加するように電気治療器２０へ指示する。
【０１０５】
なお、端末装置１０は、通常、刺激パターン情報に基づく治療を、刺激パターン情報に対応する実際の一連のタッチ操作に応じたスピードで実行するが、これに限られない。例えば、端末装置１０は、実際の一連のタッチ操作に応じたスピードよりも遅いスピードで治療を実行してもよいし（スロー再生してもよいし）、当該スピードよりも速いスピードで治療を実行してもよい（倍速再生してもよい）。
【０１０６】
このように、ユーザは、記録モードにて一連のタッチ操作を行なうことにより、所望の刺激パターンを記録できる。また、ユーザは、記録した所望の刺激パターンを再生ボタン５１６を選択することでいつでも再生できるため、再度、同じタッチ操作を行なう手間を省くこともできる。
【０１０７】
（機能構成）
図１０は、実施の形態１に従う端末装置１０の機能構成の一例を示すブロック図である。図１０を参照して、端末装置１０は、タッチ位置検出部４０１と、選択部４０３と、指示部４０５と、表示制御部４０７と、押圧検出部４０９と、調整部４１１と、情報格納部４１３とを含む。
【０１０８】
タッチ位置検出部４０１は、タッチ操作が入力された際の座標情報、すなわち、タッチ操作時にユーザが触れたタッチパネル１５５上のタッチ位置を示す座標情報を検出する。タッチ位置検出部４０１は、タッチ位置を示す座標情報の変化を時系列的に取得する。典型的には、タッチ位置検出部４０１は、プロセッサ１５２およびタッチセンサ１５７により実現される。
【０１０９】
選択部４０３は、タッチ位置検出部４０１により検出されたタッチ位置に基づいて、タッチパネル１５５に表示された所定画像（例えば、電極群画像５１２または５１４）へのタッチ操作に応じて、複数の電極（例えば、電極群６１または６５の各電極）のうちの２つの電極で構成される１組の電極を選択する。具体的には、選択部４０３は、電極群画像５１２（または電極群画像５１４）へのタッチ操作に応じて、電極群画像のうちの２つの電極画像で構成される１組の電極画像を抽出し、当該１組の電極画像に対応する１組の電極を選択する。典型的には、選択部４０３は、プロセッサ１５２により実現される。
【０１１０】
ある局面では、選択部４０３は、タッチパネル１５５の表示画面に表示された電極群画像５１２（あるいは、電極群画像５１４）のうち、タッチ操作で指定された１つのタッチ位置に最も近い２つの電極画像を１組の電極画像として抽出する。具体的には、選択部４０３は、当該１つのタッチ位置の座標と、各電極画像の中心座標との距離を算出し、当該距離が近いものから順に２つの電極画像を特定し、当該特定した２つの電極画像を１組の電極画像として抽出する。
【０１１１】
他の局面では、選択部４０３は、電極群画像５１２（あるいは、電極群画像５１４）の各電極画像のうち、タッチ操作で指定された第１のタッチ位置に最も近い電極画像と、当該タッチ操作で指定された第２のタッチ位置に最も近い電極画像とを、１組の電極画像として抽出する。
【０１１２】
押圧検出部４０９は、タッチ操作によるタッチパネル１５５に対する押圧力を検出する。典型的には、押圧検出部４０９は、プロセッサ１５２および圧力センサ１５８により実現される。
【０１１３】
表示制御部４０７は、タッチパネル１５５の表示画面に電極群６１，６５の各々を示す各電極画像を配置する。具体的には、表示制御部４０７は、タッチ操作（およびタッチ位置）に応じて、上述した操作画面５５０〜５３０を表示する。例えば、表示制御部４０７は、タッチ操作を反映する軌跡７１０，７２０をディスプレイ１５６に表示する。典型的には、表示制御部４０７は、プロセッサ１５２により実現される。
【０１１４】
調整部４１１は、タッチ操作に応じて選択部４０３により１組の電極が選択されたときの押圧力に基づいて、ユーザの身体の部位に与えられる電気刺激強度を調整する。具体的には、調整部４１１は、押圧力が大きいほど電気刺激強度を大きくする。
【０１１５】
調整部４１１は、例えば、パルス電圧のパルス幅を調整することにより電気刺激強度を調整する。すなわち、調整部４１１は、パルス幅を大きくすることで電気刺激強度を大きくし、パルス幅を小さくすることで電気刺激強度を小さくする。なお、調整部４１１は、パルス電圧の振幅を調整する（例えば、大きくする）ことで電気刺激強度を調整（例えば、大きく）してもよい。典型的には、調整部４１１は、プロセッサ１５２により実現される。
【０１１６】
指示部４０５は、電極群６１（または、電極群６５）のうち、選択部４０３により選択された１組の電極へパルス電圧を印加するように電気治療器２０に指示する。典型的には、指示部４０５は、プロセッサ１５２により実現される。
【０１１７】
ある局面では、指示部４０５は、調整部４１１により調整された電気刺激強度に対応するパルス電圧を１組の電極へ印加するように電気治療器２０に指示する。
【０１１８】
他の局面では、指示部４０５は、記録ボタン５２０が選択されている記録モード時には、一連のタッチ操作に応じた刺激パターン情報を情報格納部４１３に格納する。典型的には、刺激パターン情報は、一連のタッチ操作に応じて選択部４０３により選択された１組の電極の各々と、当該１組の電極が選択された順序と、当該１組の電極が選択されたときに押圧検出部４０９により検出された押圧力を示す押圧力情報とを含む。押圧力情報は、パルス幅、あるいは、押圧力を示す情報（例えば、図７中の“押圧レベル”に対応する情報）である。情報格納部４１３は、メモリ１５４により実現される。
【０１１９】
指示部４０５は、再生ボタン５１６の選択を受け付けると、情報格納部４１３に格納された刺激パターン情報を読み出し、当該刺激パターン情報に基づいて、各１組の電極へパルス電圧を印加するように電気治療器２０へ指示する。
【０１２０】
（処理手順）
図１１は、実施の形態１に従う端末装置１０の処理手順の一例を示すフローチャートである。図１１中の各ステップは、主に、端末装置１０のプロセッサ１５２により実行される。図１１中の処理は、所定の周期で繰り返し実行される。
【０１２１】
なお、フローチャートのスタート時点において、電気治療器２０に所定の指示を与えるための操作画面（例えば、操作画面５５０）がディスプレイ１５６に表示されているものとする。例えば、端末装置１０は、電気治療器２０を操作するための操作アプリケーションを起動することで、当該操作画面を表示する。
【０１２２】
図１１を参照して、端末装置１０は、タッチパネル１５５に対するタッチ操作に応じて、表示画面に表示されている電極群画像５１２，５１４の中から１組の電極画像を抽出し、当該１組の電極画像に対応する１組の電極を選択する（ステップＳ１２）。例えば、端末装置１０は、図７または図８で説明した選択方式に従って、１組の電極を選択する。
【０１２３】
端末装置１０は、タッチパネル１５５を介して、１組の電極が選択されたときのタッチパネル１５５の表示画面に対する押圧力を検出する（ステップＳ１４）。端末装置１０は、検出された押圧力に基づいて、電気治療器２０から出力されるパルス電圧のパルス幅を調整する（ステップＳ１６）。
【０１２４】
端末装置１０は、調整したパルス幅を有するパルス電圧を、選択された１組の電極へ印加するように電気治療器２０に指示する（ステップＳ１８）。
【０１２５】
＜実施の形態２＞
実施の形態１では、端末装置１０および電気治療器２０が無線接続されており、端末装置１０からの指示に従って電気治療器２０が治療を行なう構成について説明した。実施の形態２では、電気治療器単体でユーザの治療を行なう構成について説明する。すなわち、実施の形態２では、端末装置１０による電気治療器２０の操作機能を、電気治療器自身で実現する構成となっている。
【０１２６】
（電気治療器の構成）
図１２は、実施の形態２に従う電気治療器２００の外観の一例を示す図である。図１２を参照して、電気治療器２００は、制御機器２０５と、２つのパッド２７０，２７２と、制御機器２０５とパッド２７０，２７２とを電気的に接続するためのコード２８０とを含む。
【０１２７】
コード２８０のプラグ２８２とパッド２７０，２７２側のプラグとを接続し、コード２８０を制御機器２０５のジャックに差し込むことにより、制御機器２０５とパッド２７０，２７２とが接続される。パッド２７０には図５に示す電極群６１が形成されており、パッド２７２には、図５に示す電極群６５が形成されている。
【０１２８】
制御機器２０５には、タッチパネル２３０が設けられている。タッチパネル２３０は、上述したタッチパネル１５５と同等のものである。なお、制御機器２０５は、例えば、その他のボタン、ダイヤルやスイッチ等をさらに含む構成であってもよい。
【０１２９】
図１３は、実施の形態２に従う電気治療器２００のハードウェア構成の一例を表わすブロック図である。図１３を参照して、電気治療器２００の制御機器２０５は、プロセッサ２１０と、メモリ２２０と、タッチパネル２３０と、電源部２４０と、波形生成出力装置２５０とを含む。制御機器２０５は、パッド２７０，２７２に接続される。
【０１３０】
プロセッサ２１０は、典型的には、ＣＰＵやＭＰＵといった演算処理部である。プロセッサ２１０は、メモリ２２０に記憶されたプログラムを読み出して実行することで、電気治療器２００の各部の動作を制御する制御部として機能する。
【０１３１】
メモリ２２０は、ＲＡＭ、ＲＯＭ、フラッシュメモリなどによって実現される。メモリ２２０は、プロセッサ２１０によって実行されるプログラム、またはプロセッサ２１０によって用いられるデータなどを記憶する。
【０１３２】
タッチパネル２３０は、ディスプレイ２３１と、タッチセンサ２３２と、圧力センサ２３３とを含む。タッチパネル２３０は、実施の形態１で説明したタッチパネル１５５と同じ構成および機能を有する。
【０１３３】
電源部２４０は、電気治療器２００の各構成要素に電力を供給する。電源としては、例えば、アルカリ乾電池、または、リチウムイオン電池やニッケル水素電池などの二次電池が用いられ、電池電圧を安定化して各構成要素に供給する駆動電圧を生成する。
【０１３４】
波形生成出力装置２５０は、実施の形態１で説明した本体部４の制御機器に含まれる波形生成出力装置と同じ構成および機能を有する。
【０１３５】
（機能構成）
電気治療器２００は、図１０に示した端末装置１０の機能構成のうち、タッチ位置検出部４０１、選択部４０３、表示制御部４０７、押圧検出部４０９、調整部４１１および情報格納部４１３と同等の機能構成を有する。また、図１０に示した指示部４０５の代わりに、治療実行部を有する。
【０１３６】
実施の形態１では、ユーザは、タッチパネル１５５を介して端末装置１０に各種指示を与え、当該指示が端末装置１０から電気治療器２０に送信されることにより、間接的に電気治療器２０に当該各種指示が与えられていた。実施の形態２では、ユーザは、タッチパネル２３０を介して、電気治療器２００に直接各種指示を与える。
【０１３７】
具体的には、電気治療器２００の治療実行部は、電極群６１（または、電極群６５）のうち、選択部４０３により選択された１組の電極へパルス電圧を印加することにより、ユーザの身体の部位の治療を行なう。ある局面では、治療実行部は、調整部４１１により調整された電気刺激強度に対応するパルス電圧を１組の電極へ印加する。
【０１３８】
他の局面では、治療実行部は、記録ボタン５２０が選択されている記録モード時には、一連のタッチ操作に応じた刺激パターン情報を情報格納部４１３に格納する。治療実行部は、再生ボタン５１６の選択を受け付けると、情報格納部４１３に格納されている刺激パターン情報を読み出し、当該刺激パターン情報に基づいて、各１組の電極へパルス電圧を印加する。
【０１３９】
＜その他の実施の形態＞
（１）上述した実施の形態では、電気治療器のパッドに形成された複数の電極（すなわち、電極群６１，６５）にそれぞれ対応する複数の電極画像（すなわち、電極群画像５１２，５１４）が表示される構成について説明したが、当該構成に限られない。例えば、電極群の全体形状を有する１つの画像が表示される構成であってもよい。
【０１４０】
図１４は、その他の実施の形態において、パルス電圧を印加する電極を選択する際の操作画面の一例を示す図である。図１４を参照して、端末装置１０のタッチパネル１５５に表示される操作画面８５０は、電極群６１（図５参照）に対応する画像８１２と、電極群６５に対応する画像８１４とを含む。
【０１４１】
以下の説明では、図１４中の１〜１８の番号が付与された正六角形の領域を、領域「番号」で表現する。例えば、図１４中で番号「１」が付与された領域は領域「１」と表現される。そのため、画像８１２は領域「１」〜「９」を有しており、画像８１４は領域「１０」〜「１８」を有している。なお、画像８１２，８１４中の実線部分は表示されるが、点線部分および番号を表示するか否かは任意である。
【０１４２】
操作画面８５０には、ハニカムボタン５２４が選択された結果、ハニカム形状を有する電極群６１，６５の外側形状に対応するように、それぞれ画像８１２，８１４が描かれている。電極群６１，６５が矩形状に形成されている場合には、ユーザは、矩形ボタン５２６を選択することにより、矩形状の画像８１２，８１４が操作画面８５０に表示される。
【０１４３】
また、画像８１２の複数の領域「１」〜「９」は、電極群６１の複数の電極とそれぞれ関連付けられており、画像８１４の複数の領域「１０」〜「１８」は、電極群６５の複数の電極とそれぞれ関連付けられている。画像８１２の各領域は電極群６１の各電極の配置方式に合わせて配置され、画像８１４の各領域は電極群６５の各電極の配置方式に合わせて配置される。
【０１４４】
図１４に示す電極の選択方式は、基本的には図７で説明した電極の選択方式と同様である。具体的には、ユーザが、電極群６１に対応する画像８１２のうちの領域「８」の位置Ｑ５を指８３０でタッチした場合、領域「８」および領域「９」の各々に対応する電極が自動的に選択される。詳細には、端末装置１０は、位置Ｑ５のタッチ座標と、各領域の中心座標との距離を算出し、当該距離が近いものから順に２つの領域「８」および「９」を抽出する。端末装置１０は、領域「８」に対応する電極と、領域「９」に対応する電極との間にパルス電圧を印加するように電気治療器２０へ指示する。
【０１４５】
また、図８で説明した電極の選択方式と同様の選択方式を採用してもよい。具体的には、端末装置１０は、画像８１２において、ある指によるタッチ操作で指定されたタッチ位置に最も近い第１領域と、他の指によるタッチ操作で指定されたタッチ位置に最も近い第２領域とを１組の領域として抽出する。端末装置１０は、第１領域に対応する電極と、第２領域に対応する電極との間にパルス電圧を印加するように電気治療器２０へ指示する。さらに、図９で説明した一連のタッチ操作が行なわれた場合における刺激パターンの記録方式および再生方式についても同様に採用することができる。
【０１４６】
このように、その他の実施の形態に従う端末装置１０の選択部４０３は、所定画像（例えば、画像８１２または８１４）へのタッチ操作に応じて、当該所定画像における複数の領域のうちの２つの領域で構成される１組の領域を抽出し、当該１組の領域に対応する１組の電極を選択する。
【０１４７】
ある局面では、選択部４０３は、複数の領域のうち、タッチ操作で指定された１つのタッチ位置に最も近い２つの領域を１組の領域として抽出する。他の局面では、選択部４０３は、複数の領域のうち、タッチ操作で指定された第１のタッチ位置に最も近い第１領域と、タッチ操作で指定された第２のタッチ位置に最も近い第２領域とを１組の領域として抽出する。なお、選択部４０３以外の他の機能構成については、上述した実施の形態１に係る機能構成と同様である。また、実施の形態２に係る電気治療器２００に、その他の実施の形態に従う選択部４０３と同様の構成を採用してもよい。
【０１４８】
（２）上述した実施の形態１では、端末装置１０および電気治療器２０が無線通信する構成について説明したが、これに限られない。端末装置１０は、ＵＳＢ（Universal  Serial  Bus）等を利用して電気治療器２０と有線通信する構成であってもよい。なお、この場合、端末装置１０と電気治療器の本体部とが有線通信可能に構成されており、当該本体部とパッドとがコード等で接続される構成であってもよい。
【０１４９】
（３）上述した実施の形態において、コンピュータを機能させて、上述のフローチャートで説明したような制御を実行させるプログラムを提供することもできる。このようなプログラムは、コンピュータに付属するフレキシブルディスク、ＣＤ（Compact  Disk  Read  Only  Memory）、二次記憶装置、主記憶装置およびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１５０】
上述の実施の形態として例示した構成は、本発明の構成の一例であり、別の公知の技術と組み合わせることも可能であるし、本発明の要旨を逸脱しない範囲で、一部を省略する等、変更して構成することも可能である。また、上述した実施の形態において、その他の実施の形態で説明した処理や構成を適宜採用して実施する場合であってもよい。
【０１５１】
［付記］
以上のように、本実施形態は以下のような開示を含む。
【０１５２】
［構成１］
タッチパネル（１５５）を有する端末装置（１０）であって、
前記端末装置は、ユーザの身体の部位に接触される複数の電極を有する電気治療器（２０）と通信可能に構成されており、
所定画像を前記タッチパネルの表示画面に表示する表示制御部（４０７）と、
前記表示画面に表示された前記所定画像へのタッチ操作に応じて、前記複数の電極のうちの２つの電極画像で構成される１組の電極画像を選択する選択部（４０３）と、
前記選択された１組の電極へパルス電圧を印加するように前記電気治療器に指示する指示部（４０５）とを備える、端末装置（１０）。
【０１５３】
［構成２］
前記所定画像は、前記複数の電極にそれぞれ対応する複数の電極画像を含み、
前記選択部（４０３）は、前記複数の電極画像へのタッチ操作に応じて、前記複数の電極画像のうちの２つの電極画像で構成される１組の電極画像を抽出し、当該１組の電極画像に対応する前記１組の電極を選択する、構成１に記載の端末装置（１０）。
【０１５４】
［構成３］
前記選択部（４０３）は、前記表示画面に表示された各前記電極画像のうち、前記タッチ操作で指定された１つのタッチ位置に最も近い２つの電極画像を前記１組の電極画像として抽出する、構成２に記載の端末装置（１０）。
【０１５５】
［構成４］
前記選択部（４０３）は、各前記電極画像のうち、前記タッチ操作で指定された第１のタッチ位置に最も近い第１電極画像と、前記タッチ操作で指定された第２のタッチ位置に最も近い第２電極画像とを前記１組の電極画像として抽出する、構成２に記載の端末装置（１０）。
【０１５６】
［構成５］
前記複数の電極はハニカム形状であり、
各前記電極画像は、前記タッチパネルの表示画面にハニカム状に配置される、構成２〜４のいずれか１項に記載の端末装置（１０）。
【０１５７】
［構成６］
前記所定画像における複数の領域は、前記複数の電極とそれぞれ関連付けられており、
前記選択部（４０３）は、前記所定画像へのタッチ操作に応じて、前記複数の領域のうちの２つの領域で構成される１組の領域を抽出し、当該１組の領域に対応する前記１組の電極を選択する、構成１に記載の端末装置（１０）。
【０１５８】
［構成７］
前記選択部（４０３）は、前記複数の領域のうち、前記タッチ操作で指定された１つのタッチ位置に最も近い２つの領域を前記１組の領域として抽出する、構成６に記載の端末装置（１０）。
【０１５９】
［構成８］
前記選択部（４０３）は、前記複数の領域のうち、前記タッチ操作で指定された第１のタッチ位置に最も近い第１領域と、前記タッチ操作で指定された第２のタッチ位置に最も近い第２領域とを前記１組の領域として抽出する、構成６に記載の端末装置（１０）。
【０１６０】
［構成９］
前記タッチ操作による前記タッチパネルに対する押圧力を検出する押圧検出部（４０９）と、
前記１組の電極が選択されたときの前記押圧力に基づいて、前記部位に与えられる電気刺激強度を調整する調整部（４１１）とをさらに備え、
前記指示部（４０５）は、前記調整された電気刺激強度に対応するパルス電圧を前記１組の電極へ印加するように前記電気治療器に指示する、構成１〜８のいずれか１項に記載の端末装置（１０）。
【０１６１】
［構成１０］
前記調整部（４１１）は、前記押圧力が大きいほど前記電気刺激強度を大きくする、構成９に記載の端末装置（１０）。
【０１６２】
［構成１１］
一連の前記タッチ操作に応じて、前記選択部により選択された複数の前記１組の電極の各々と、当該１組の電極が選択された順序とを含むパターン情報を格納する情報格納部（４１３）をさらに備え、
前記指示部（４０５）は、前記情報格納部（４１３）に格納されたパターン情報に基づいて、各前記１組の電極へパルス電圧を印加するように前記電気治療器へ指示する、構成１〜１０のいずれか１項に記載の端末装置（１０）。
【０１６３】
［構成１２］
タッチパネル（２３０）を有する電気治療器（２００）であって、
ユーザの身体の部位に接触される複数の電極と、
所定画像を前記タッチパネル（２３０）の表示画面に表示する表示制御部（４０７）と、
前記表示画面に表示された前記所定画像へのタッチ操作に応じて、前記複数の電極のうちの２つの電極で構成される１組の電極を選択する選択部（４０３）と、
前記選択された１組の電極へパルス電圧を印加することにより前記部位の治療を行なう治療実行部とを備える、電気治療器（２００）。
【０１６４】
［構成１３］
ユーザの身体の部位に接触される複数の電極を有する電気治療器（２０）と、
タッチパネル（１５５）を有し、前記電気治療器と通信可能に構成された端末装置（１０）とを備え、
前記端末装置（１０）は、
所定画像を前記タッチパネル（１５５）の表示画面に表示する表示制御部（４０７）と、
前記表示画面に表示された前記所定画像へのタッチ操作に応じて、前記複数の電極のうちの２つの電極で構成される１組の電極を選択する選択部（４０３）と、
前記選択された１組の電極へパルス電圧を印加するように前記電気治療器に指示する指示部（４０５）とを含む、治療システム（１０００）。
【０１６５】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１６６】
２，２７０，２７２  パッド、２Ｈ  貫通孔、２Ｘ  取付部、２Ｙ  治療部、２ａ  導電層、３  ホルダ、４  本体部、４ａ  ケース、５  誘導係合部、１０  端末装置、２０，２００  電気治療器、２１  身体側部、２２  パッド側電極部、２３  窓部、３０  ネットワーク、３１  パッド保持部、３２  壁部、３３  インターロックピン、４１  側面
４３  本体部側電極部、４８Ｓ  スイッチ、５１  突起、５２  溝部、６１，６５  電極群、１５２，２１０  プロセッサ、１５４，２２０  メモリ、１５５，２３０  タッチパネル、１５６，２３１  ディスプレイ、１５７，２３２  タッチセンサ、１５８，２３３  圧力センサ、１６０  無線通信部、１６２  通信アンテナ、１６４  メモリインターフェイス、１６５  記憶媒体、１６８  スピーカ、１７０  マイク、２０５  制御機器、２４０  電源部、２５０  波形生成出力装置、２８０  コード、２８２  プラグ、３１１  上面、３１２  位置決め突起、４０１  タッチ位置検出部、４０３  選択部、４０５  指示部、４０７  表示制御部、４０９  押圧検出部、４１１  調整部、４１３  情報格納部、５１２，５１４  電極群画像、５１６  再生ボタン、５１８  停止ボタン、５２０  記録ボタン、５２１  縦溝部、５２２  横溝部、５２４  ハニカムボタン、５２６  矩形ボタン、５２８  押圧表示欄、５３０，５５０，５６０，５７０  操作画面、６１０，６２０，６３０，８３０  指、７１０，７２０  軌跡、８１２，８１４  画像、１０００  治療システム。
【図１】
2020018384.tif 000003
【図２】
2020018384.tif 000004
【図３】
2020018384.tif 000005
【図４】
2020018384.tif 000006
【図５】
2020018384.tif 000007
【図６】
2020018384.tif 000008
【図７】
2020018384.tif 000009
【図８】
2020018384.tif 000010
【図９】
2020018384.tif 000011
【図１０】
2020018384.tif 000012
【図１１】
2020018384.tif 000013
【図１２】
2020018384.tif 000014
【図１３】
2020018384.tif 000015
【図１４】
2020018384.tif 000016